(57)【要約】【課題】  本発明は、データキャリアがマンホールの蓋体の制約を受けることなく、その寸法や形式が自由に選択出来、金属による電磁波の減衰現象を大幅に緩和出来、車両等による上方からの荷重により沈下したり傾くことがないデータキャリアの設置構造及びその設置方法を提供することを可能にすることを目的としている。【解決手段】  マンホール本体１の蓋受け枠３の鍔部６の上部における埋設層７にデータキャリア８を埋設して構成したことを特徴とする。【選択図】      図１
2006115056.tif 000002
【特許請求の範囲】
【請求項１】
データキャリアをマンホールに設置する設置構造において、
前記マンホールは、マンホール本体と、前記マンホール本体の開口縁上面に配置した蓋受け枠と、前記蓋受け枠に開閉自在に配置した蓋体とを有し、
前記蓋受け枠は、前記蓋体を支持する筒状の支持部と、前記支持部から横方向に延長して前記開口縁上面に接する鍔部とを有し、
前記鍔部の上部における埋設層にデータキャリアが埋設されていることを特徴とするデータキャリアの設置構造。
【請求項２】
前記データキャリアは、非導電性材料で作られた密封容器に収容した状態、或いは前記密封容器を更に無機材料で作られた保護体に収容した状態で、前記埋設層に埋設されていることを特徴とする請求項１に記載のデータキャリアの設置構造。
【請求項３】
前記データキャリアは、ロッドアンテナ及びＩＣ回路を有し、それらが前記密封容器に収容されていることを特徴とする請求項２に記載のデータキャリアの設置構造。
【請求項４】
データキャリアをマンホールに設置する設置方法において、
前記マンホールは、マンホール本体と、前記マンホール本体の開口縁上面に配置した蓋受け枠と、前記蓋受け枠に開閉自在に配置した蓋体とを有し、
前記蓋受け枠は、前記蓋体を支持する筒状の支持部と、前記支持部から横方向に延長して前記開口縁上面に接する鍔部とを有したものであり、
前記鍔部の上部における埋設層に地上から挿入孔を形成し、前記挿入孔内に前記データキャリア、或いは前記データキャリアを密封容器に収容したもの、或いは前記密封容器を更に保護体に収容したものを挿入して埋設することを特徴とするデータキャリアの設置方法。
【発明の詳細な説明】
【技術分野】
【０００１】
本発明は、データキャリアをマンホールに設置する設置構造及びその設置方法に関するものである。
【背景技術】
【０００２】
従来、下水道や地下共同溝等地上に連通するマンホールが地下管路に沿って所定間隔で多数設けられる。図５は代表的なマンホールの構造を示す部分的な縦断面図である。マンホールはプレキャストコンクリート製のマンホール本体１と、マンホール本体１の開口縁２の上面に配置した金属製の蓋受け枠３と、蓋受け枠３に開閉自在に配置した金属製の蓋体４を有し、前記蓋受け枠３は断面Ｌ字形をなし、蓋体４を支持する筒状の支持部５と、該支持部５から横方向に延長して開口縁２の上面に接する鍔部６を有する。そして蓋受け枠３の周囲はアスファルトやコンクリートの埋設層（舗装層）７が施工され、その埋設層７の上面は路面の一部を形成する。
【０００３】
一方、地下管路またはそれらの内部に設置したケーブル、配管等を地上から管理するためにマンホール本体１の開口部に設けた蓋体４にデータキャリアを設置する方法が採用されており、蓋体４に挿入孔などを設けてデータキャリアを設置する技術は、特開平09-331279号公報（特許文献１）、特開2000-320208号公報（特許文献２）、特開2001-3616号公報（特許文献３）、特開2001-131999号公報（特許文献４）、特開2001-132002号公報（特許文献５）等に記載されている。
【０００４】
【特許文献１】特開平０９−３３１２７９号公報
【特許文献２】特開２０００−３２０２０８号公報
【特許文献３】特開２００１−００３６１６号公報
【特許文献４】特開２００１−１３１９９９号公報
【特許文献５】特開２００１−１３２００２号公報
【発明の開示】
【発明が解決しようとする課題】
【０００５】
しかしながら、前述の従来例では、マンホールの蓋体４は一般に厚さが薄く、データキャリアの設置に制約を受けることが多い。また取り付け可能なデータキャリアの大きさも制限されるので通信距離が必然的に短くなる。更に鋳物等の金属材料で作った蓋体４に取り付けたデータキャリアと地上のリーダライタ等の通信装置との間で非接触の電磁波通信を行うが、通信に使用する電磁波が金属材料で作った蓋体４に吸収されて減衰して通信感度が著しく低下するという問題がある。
【０００６】
本発明は前記課題を解決するものであり、その目的とするところは、データキャリアがマンホールの蓋体の制約を受けることなく、その寸法や形式が自由に選択出来、金属による電磁波の減衰現象を大幅に緩和出来、車両等による上方からの荷重により沈下したり傾くことがないデータキャリアの設置構造及びその設置方法を提供せんとするものである。
【課題を解決するための手段】
【０００７】
前記目的を達成するための本発明に係るデータキャリアの設置構造の第１の構成は、データキャリアをマンホールに設置する設置構造において、前記マンホールは、マンホール本体と、前記マンホール本体の開口縁上面に配置した蓋受け枠と、前記蓋受け枠に開閉自在に配置した蓋体とを有し、前記蓋受け枠は、前記蓋体を支持する筒状の支持部と、前記支持部から横方向に延長して前記開口縁上面に接する鍔部とを有し、前記鍔部の上部における埋設層にデータキャリアが埋設されていることを特徴とする。
【０００８】
また、本発明に係るデータキャリアの設置構造の第２の構成は、前記第１の構成において、前記データキャリアは、非導電性材料で作られた密封容器に収容した状態、或いは前記密封容器を更に無機材料で作られた保護体に収容した状態で、前記埋設層に埋設されていることを特徴とする。
【０００９】
また、本発明に係るデータキャリアの設置構造の第３の構成は、前記第２の構成において、前記データキャリアは、ロッドアンテナ及びＩＣ回路を有し、それらが前記密封容器に収容されていることを特徴とする。
【００１０】
また、本発明に係るデータキャリアの設置方法は、データキャリアをマンホールに設置する設置方法において、前記マンホールは、マンホール本体と、前記マンホール本体の開口縁上面に配置した蓋受け枠と、前記蓋受け枠に開閉自在に配置した蓋体とを有し、前記蓋受け枠は、前記蓋体を支持する筒状の支持部と、前記支持部から横方向に延長して前記開口縁上面に接する鍔部とを有したものであり、前記鍔部の上部における埋設層に地上から挿入孔を形成し、前記挿入孔内に前記データキャリア、或いは前記データキャリアを密封容器に収容したもの、或いは前記密封容器を更に保護体に収容したものを挿入して埋設することを特徴とする。
【発明の効果】
【００１１】
本発明に係るデータキャリアの設置構造の第１の構成によれば、データキャリアがマンホールの金属製の蓋体に直接取り付けずに鍔部の上部における埋設層に埋設されているため、データキャリアは蓋体の制約を受けないで、その寸法や形式が自由に選択出来、例えば所望の通信距離を確保出来るデータキャリアを選択出来る。
【００１２】
またデータキャリアが設置される埋設層の下部に配置される鍔体はマンホール本体の開口縁上面に接して配置されているためデータキャリアは下方から安定に支持され、車両等による上方からの荷重により沈下したり傾くことがない。更に、金属製の蓋体に直接取り付けないので、金属による電磁波の減衰現象を大幅に緩和出来る。
【００１３】
本発明に係るデータキャリアの設置構造の第２の構成によれば、データキャリアを非導電性材料で作られた密封容器に収容して埋設することにより、データキャリアが周囲環境によって劣化することを防止出来る。またその密封容器を更に無機材料で作られた保護体に収容して埋設することにより、埋設施工時の外部衝撃若しくは車両等による上方からの衝撃に対する抵抗力を高めることが出来る。
【００１４】
本発明に係るデータキャリアの設置構造の第３の構成によれば、データキャリアがロッドアンテナ及びＩＣ回路を有し、それらを密封容器に収容したものを用いることにより、データキャリアを小型化出来、埋設形態の自由度をより大きく出来る。
【００１５】
本発明に係るデータキャリアの設置方法によれば、上述のデータキャリアの設置構造を効率良く施工出来る。
【発明を実施するための最良の形態】
【００１６】
図により本発明に係るデータキャリアの設置構造及びその設置方法の一実施形態を具体的に説明する。図１は本発明に係るデータキャリアの設置構造の構成を示す断面説明図、図２はマンホールにデータキャリアを設置する方法を説明する図、図３はデータキャリア構造の一例を示す図、図４はデータキャリアの制御系の回路ブロック図である。
【００１７】
図１において、１はマンホール本体であり、直壁管16の上部に斜壁管17が設置され、更にその上部に第１、第２調整リング18，19が設置されて開口縁２が形成されている。直壁管16及び斜壁管17の内壁面には昇降用ステップ15が設けられている。
【００１８】
図２に示すように、マンホール本体１の開口縁２の上面には蓋受け枠３が配置されており、該蓋受け枠３には蓋体４が開閉自在に配置されている。蓋受け枠３は蓋体４を支持する筒状の支持部５と、該支持部５から横方向に延長して開口縁２の上面に接する鍔部６とを有している。そして、鍔部６の上部における埋設層７にデータキャリア８が埋設されている。
【００１９】
図２はマンホールにデータキャリア８を設置する方法を説明する図である。先ず図２（ａ）に示すように、アスファルトやコンクリート等により構成されるマンホールの埋設層７に地上から有底の挿入孔13をドリル等により穿設して形成し、次に図２（ｂ）に示すように、埋設層７に穿設した挿入孔13内にデータキャリア８を挿入してその周囲（側部及び上部）をモルタルや樹脂等の充填材を注入して充填層14を形成して埋設する。
【００２０】
図３は本発明に係るデータキャリアの設置構造に適用出来るデータキャリア構造の１例を示すものである。本実施形態では、図３（ａ）に示すように、データキャリア８が全体が棒状のロッドアンテナ11及びＩＣ（Integrated Circuit）回路12を有し、それらを例えばガラスや樹脂等の非導電性材料で形成した密封容器９に収容し、さらにその密封容器９をファインセラミックス等の無機材料で作られた有底筒体からなる保護体10内に収容した状態でデータキャリア構造体25が構成され（図３（ｂ）参照）、このようなデータキャリア構造体25を挿入孔13内に収容し、埋設層７内に埋設する。
【００２１】
データキャリア８を屋外で利用する場合に紫外線によるデータキャリア８の破損が生じる可能性があるが、データキャリア８全体がアスファルトやコンクリート等の中に埋設されるので紫外線は遮断され、長期の耐久性の保持が可能となる。
【００２２】
その際、樹脂等の充填材を充填して密封容器９を保護体10内に安定に固定する。尚、場合によっては保護体10を省略しても良い。保護体10をファインセラミックス製とした場合には、耐摩耗性、耐荷重性及び耐水性に優れているので、車道に設置されるマンホールの蓋体４の周囲に設置したデータキャリア８を確実に保護出来る。
【００２３】
尚、本実施形態では全体が棒状のロッドアンテナ11及びＩＣ回路12を有するデータキャリア８を適用した場合の一例について説明したが、図示しない空芯の円形で平面状に形成されたアンテナとそのアンテナの両端部に電気的に接続したＩＣ回路12とを有し、樹脂モールドにより外部から保護され、全体として円板状に形成された円板型のデータキャリアも使用可能である。
【００２４】
図４はデータキャリア８の制御系のブロック図である。データキャリア８はＩＣ回路12を有し、該ＩＣ回路12には共振回路を含む送信手段と受信手段を有する送受信部20、ＣＰＵ（中央演算装置）により構成される制御部21、書き込み及び読み出し可能なフラッシュメモリ等により構成される記憶部22、コンデンサにより構成される電源部23が収容される。
【００２５】
次に図１及び図４を参照して、マンホールの蓋受け枠３の鍔部６の上部における埋設層７に埋設されたデータキャリア８と外部の通信装置24との間で非接触通信を行う様子について説明する。先ず図１に示す埋設層７に埋設されたデータキャリア８の地上側で通信装置24を接近して、その通信開始ボタン（図示せず）を押すと、該通信装置24に予め設定されたシーケンスにより、該通信装置24のアンテナコイルから最初に呼出信号の電磁波が送信される。
【００２６】
その電磁波は埋設層７内に埋設されたデータキャリア８のロッドアンテナ11で受信され、該ロッドアンテナ11には電磁誘導による電流が流れ、その電流による信号が送受信部20を介して制御部21に入力されて該制御部21は受信状態になる。
【００２７】
次に送受信部20に接続されたロッドアンテナ11から送信された応答信号の電磁波が埋設層７を透過して通信装置24に伝送され、それによって通信装置24は次に読み出し信号または書き込み信号を送受信部20に送信する。
【００２８】
送受信部20はその信号を受けて制御部21が読み出し制御または書き込み制御を行う。そして読み出し制御の場合は、その読み出し信号に応じた情報を記憶部22から読み出し、ロッドアンテナ11から送信された信号の電磁波が埋設層７を透過して通信装置24に伝送される。また通信装置24から送信された書き込み情報は記憶部22に記憶される。
【００２９】
尚、通信装置24はこの分野では周知のものであり、上記電源用電磁波送信、応答用電磁波送信、送受信部20からの受信制御等のシーケンスは、前記通信開始ボタン等を押すことにより自動的に実行される。
【産業上の利用可能性】
【００３０】
本発明の活用例として、データキャリアをマンホールに設置する設置構造及びその設置方法に好適である。また、地下に基礎部をもつ構築物（例えば、街灯、信号、標識、境界杭、橋梁等の道路関連施設）にデータキャリアを設置する設置構造及びその設置方法にも好適である。
【図面の簡単な説明】
【００３１】
【図１】本発明に係るデータキャリアの設置構造の構成を示す断面説明図である。
【図２】マンホールにデータキャリアを設置する方法を説明する図である。
【図３】データキャリア構造の一例を示す図である。
【図４】データキャリアの制御系の回路ブロック図である。
【図５】マンホールの従来例を説明する図である。
【符号の説明】
【００３２】
１…マンホール本体
２…開口縁
３…蓋受け枠
４…蓋体
５…支持部
６…鍔部
７…埋設層
８…データキャリア
９…密封容器
10…保護体
11…ロッドアンテナ
12…ＩＣ回路
13…挿入孔
14…充填層
15…昇降用ステップ
16…直壁管
17…斜壁管
18，19…第１、第２調整リング
20…送受信部
21…制御部
22…記憶部
23…電源部
24…通信装置
25…データキャリア構造体
【図１】
2006115056.tif 000003
【図２】
2006115056.tif 000004
【図３】
2006115056.tif 000005
【図４】
2006115056.tif 000006
【図５】
2006115056.tif 000007